(57)【要約】【課題】  記録媒体を案内し、かつ、開閉可能な案内部を簡素化する。【解決手段】  二次転写ロール収容部８１は、画像形成装置本体１２に固定されており、二次転写ロール８０、付勢部１００及び第１の検知部１０２を収容する。付勢部１００は、弾性部材１０４、及び軸部１０６を軸として回動するカム１０８を有し、弾性部材１０４の一端が二次転写ロール８０の軸部１１０に固定され、弾性部材１０４の他端が受け板１１２を介してカム１０８に押圧されている。第１の開閉部１８は、正面側（図２の左側）が記録媒体を案内する第１の案内部１１６となっており、画像形成装置本体１２に対して回動支点１７を中心に開閉する。第２の開閉部２０は、正面側が記録媒体を案内する第２の案内部１１８となっており、画像形成装置本体１２に対して回動支点１９を中心に開閉する。また、二次転写ロール８０と定着装置９０との間には、第２の検知部１２０が設けられている。【選択図】          図２
2005266375.tif 000002
【特許請求の範囲】
【請求項１】
画像形成装置本体に収容された像担持体と、この像担持体に担持されたトナー像を記録媒体に転写する転写手段と、この転写手段を前記像担持体に向けて付勢する付勢手段と、前記転写手段に向けて記録媒体を案内する第１の案内部と、トナー像を転写された記録媒体を案内する第２の案内部とを有し、前記転写手段及び前記付勢手段は、前記画像形成装置本体側に配設され、前記第１の案内部及び前記第２の案内部の少なくともいずれかは、前記画像形成装置本体に対して開閉可能であることを特徴とする画像形成装置。
【請求項２】
前記第２の案内部は、単独で開閉可能であることを特徴とする請求項１記載の画像形成装置。
【請求項３】
前記転写手段によって記録媒体に転写されたトナー像を記録媒体に定着させる定着手段をさらに有し、前記第２の案内部は、前記転写手段と前記定着手段との間で記録媒体を搬送する搬送路の少なくとも一部を形成することを特徴とする請求項１又は２記載の画像形成装置。
【請求項４】
前記定着手段は、前記画像形成装置本体側に配設されていることを特徴とする請求項３記載の画像形成装置。
【請求項５】
前記像担持体に対して前記転写手段が接離するように制御する制御手段をさらに有し、前記制御手段は、記録媒体が前記画像形成装置本体内で詰まった場合に、前記像担持体から前記転写手段を離すことを特徴とする請求項１乃至４いずれか記載の画像形成装置。
【請求項６】
前記付勢手段の付勢を調節する付勢調節手段をさらに有し、前記付勢調節手段は、記録媒体が前記画像形成装置本体内で詰まった場合に、前記付勢手段の付勢を弱めることを特徴とする請求項１乃至４いずれか記載の画像形成装置。
【発明の詳細な説明】
【技術分野】
【０００１】
本発明は、プリンタ、複写機又はファクシミリ等の画像形成装置に関するものである。
【背景技術】
【０００２】
画像形成装置として、像担持体と転写ロールとの間で像担持体に担持されたトナー像を記録媒体に転写し、記録媒体に転写されたトナー像を定着装置によって記録媒体に定着させるものが知られている。
この種の画像形成装置において、転写ロールと定着装置との間に詰まった記録媒体を取り除くために、開閉部を設けることは公知である（特許文献１，２参照）。
【０００３】
【特許文献１】特開２００３−２５５８０３号公報
【特許文献２】特開２００１−３３１０８０号公報
【発明の開示】
【発明が解決しようとする課題】
【０００４】
しかしながら、上記従来例においては、開閉部に転写ロールが配設されており、転写ロールを像担持体に向けて付勢するために、転写ロールの反像担持体側に例えばバネなどを設けると、開閉部に剛性が必要になり、開閉部が大型化することがある。
また、上記従来例においては、転写ロールを像担持体に向けて付勢することについて、何ら開示されていない。
【０００５】
そこで、本発明は、記録媒体を案内し、かつ、開閉可能な案内部を簡素化した画像形成装置を提供することを目的とする。
【課題を解決するための手段】
【０００６】
上記目的を達成するため、本発明の特徴とするところは、画像形成装置本体に収容された像担持体と、この像担持体に担持されたトナー像を記録媒体に転写する転写手段と、この転写手段を前記像担持体に向けて付勢する付勢手段と、前記転写手段に向けて記録媒体を案内する第１の案内部と、トナー像を転写された記録媒体を案内する第２の案内部とを有し、前記転写手段及び前記付勢手段は、前記画像形成装置本体側に配設され、前記第１の案内部及び前記第２の案内部の少なくともいずれかは、前記画像形成装置本体に対して開閉可能である画像形成装置にある。即ち、転写手段及び付勢手段が画像形成装置本体側に配設されているので、第１の案内部及び第２の案内部の少なくともいずれかは、画像形成装置本体に対して開閉可能にされても、付勢手段を支持するための剛性が不要になるので、簡素化が可能である。したがって、画像形成装置本体に対して開閉可能にされ、かつ、簡素化された第１の案内部及び第２の案内部の少なくともいずれかを開くことにより、画像形成装置本体内で詰まった記録媒体を取り除くことができる。また、転写手段及び付勢手段が画像形成装置本体側に配設されているので、像担持体に対する転写手段の位置を安定させることができる。
【０００７】
好適には、前記第２の案内部は、単独で開閉可能である。即ち、第２の案内部が第１の案内部と分かれて開閉されるので、第１の案内部及び第２の案内部の小型化が可能であり、それぞれを開放するために必要なスペースを狭くすることができる。
【０００８】
また、好適には、前記転写手段によって記録媒体に転写されたトナー像を記録媒体に定着させる定着手段をさらに有し、前記第２の案内部は、前記転写手段と前記定着手段との間で記録媒体を搬送する搬送路の少なくとも一部を形成する。したがって、第２の案内部が開放されることにより、転写手段と定着手段との間に詰まった記録媒体を容易に取り除くことができる。
【０００９】
また、好適には、前記定着手段は、前記画像形成装置本体側に配設されている。即ち、第１の案内部及び第２の案内部のいずれが開放されても、定着手段は開放されないので、例えば定着手段が熱源を有する場合にも、作業者の安全性を高くすることができる。
【００１０】
また、好適には、前記像担持体に対して前記転写手段が接離するように制御する制御手段をさらに有し、前記制御手段は、記録媒体が前記画像形成装置本体内で詰まった場合に、前記像担持体から前記転写手段を離す。即ち、像担持体と転写手段との間に記録媒体が詰まっても、像担持体から転写手段が離れるので、詰まった記録媒体を容易に取り除くことができる。
【００１１】
また、好適には、前記付勢手段の付勢を調節する付勢調節手段をさらに有し、前記付勢調節手段は、記録媒体が前記画像形成装置本体内で詰まった場合に、前記付勢手段の付勢を弱める。即ち、像担持体と転写手段との間に詰まった記録媒体が保持されるので、記録媒体に転写された未定着のトナーが飛散ることを防止することができ、像担持体に対する転写手段の付勢が弱められるので、像担持体と転写手段との間に詰まった記録媒体を容易に取り除くことができる。
【発明の効果】
【００１２】
本発明によれば、記録媒体を案内し、かつ、開閉可能な案内部を簡素化することができる。
【発明を実施するための最良の形態】
【００１３】
次に本発明の実施形態を図面に基づいて説明する。
図１において、本発明の実施形態に係る画像形成装置１０の概要が示されている。
なお、本実施形態では、中間転写ベルトなどの中間転写体６４を用いたフルカラーの画像形成装置１０を具体例として説明するが、これに限定されるものではなく、例えば、中間転写体を用いずに、１つの感光体などから記録媒体に画像を直接転写するものであってもよい。
【００１４】
画像形成装置１０は、画像形成装置本体１２を有し、この画像形成装置本体１２の上部には、回動支点１４を中心に回動自在の開閉カバー１６が設けられている。また、画像形成装置１０の裏側（図１の右側）には、画像形成装置本体１２に対して、回動支点１７を中心に開閉する第１の開閉部１８、及び、回動支点１９を中心に開閉する第２の開閉部２０が設けられている。なお、第２の開閉部２０は、第１の開閉部１８の上方に配置されており、第１の開閉部１８及び第２の開閉部２０それぞれは、例えば独立して開閉するようにされている。
【００１５】
画像形成装置本体１２の下部には、例えば１段の記録媒体供給ユニット２１が配置されている。記録媒体供給ユニット２１は、記録媒体供給ユニット本体２２と、記録媒体が収納される記録媒体供給カセット２３とを有する。記録媒体供給カセット２３の奥端近傍上部には、記録媒体供給カセット２３から記録媒体を供給するフィードロール２４、及び、供給される記録媒体を１枚ずつ捌くリタードロール２６が配置されている。
【００１６】
搬送路２８は、フィードロール２４から排出口３０までの記録媒体通路であり、この搬送路２８は、画像形成装置本体１２の裏側（図１の右側面）近傍にあって、記録媒体供給ユニット２１から後述する定着装置９０まで略垂直に形成されている。この搬送路２８の定着装置９０の上流側に後述する二次転写ロール８０と二次転写バックアップロール７２とが配置され、二次転写ロール８０と二次転写バックアップロール７２の上流側にレジストロール３２が配置されている。また、搬送路２８の排出口３０の近傍には排出ロール３４が配置されている。
【００１７】
したがって、記録媒体供給ユニット２１の記録媒体供給カセット２３からフィードロール２４により送り出された記録媒体は、リタードロール２６により捌かれて最上部の記録媒体のみ搬送路２８に導かれ、レジストロール３２により一時停止され、タイミングをとって後述する二次転写ロール８０と二次転写バックアップロール７２との間を通ってトナー像が転写され、この転写されたトナー像が定着装置９０により定着され、排出ロール３４により排出口３０から開閉カバー１６の上部に設けられた排出部３６へ排出される。この排出部３６は、排出口部分が低く、正面方向（図１の左方向）に向けて徐々に高くなるよう傾斜している。
【００１８】
画像形成装置本体１２には、例えば略中央部にロータリ現像装置３８が配置されている。ロータリ現像装置３８は、現像器本体４０内にイエロー（Ｙｅｌｌｏｗ）、マゼンタ（Ｍａｇｅｎｔａ）、シアン（Ｃｙａｎ）及び黒（Ｂｌａｃｋ）の４色のトナー像をそれぞれ形成する現像器４２ａ〜４２ｄを有し、ロータリ現像装置中心４４を中心として左回り（図１において反時計回り）に回転する。現像器４２ａ〜４２ｄそれぞれは、現像ロール４６ａ〜４６ｄを有し、例えばコイルスプリングなどの弾性体４８ａ〜４８ｄにより、現像器本体４０の法線方向に押圧されている。
【００１９】
ロータリ現像装置３８には、例えば感光体からなる像担持体５０が当接するように配置されており、現像ロール４６ａ〜４６ｄは、像担持体５０に当接していない状態で、それぞれの外周の一部が現像器本体４０の外周から半径方向に、例えば２ｍｍ突出している。また、現像ロール４６ａ〜４６ｄそれぞれの両端には、現像ロール４６ａ〜４６ｄの直径よりもわずかに大きい直径のトラッキングロール（図示せず）が現像ロール４６ａ〜４６ｄと同軸で回転するように設けられている。つまり、現像ロール４６ａ〜４６ｄのトラッキングロールが像担持体５０の両端に設けられたフランジ（図示せず）に当接し、現像ロール４６ａ〜４６ｄと像担持体５０との間に所定の隙間が形成され、像担持体５０上の潜像がそれぞれの色のトナーで現像される。
【００２０】
像担持体５０の下方には、該像担持体５０を一様帯電する例えば帯電ロールからなる帯電装置５２が設けられている。また、像担持体５０には、該像担持体５０の回転方向の帯電装置５２よりも上流側に像担持体用クリーナ５４が当接している。像担持体用クリーナ５４は、例えば一次転写後に像担持体５０に残留するトナーを掻き取るクリーニングブレード５６と、クリーニングブレード５６が掻き取ったトナーを回収するトナー回収ボトル５８とから構成される。
なお、トナー回収ボトル５８の背面側（図１において右側）は、例えばリブなどが形成され、記録媒体が滑らかに搬送されるように曲面にされて搬送路２８の一部を形成している。
【００２１】
ロータリ現像装置３８の下方には、帯電装置５２により帯電された像担持体５０に、レーザ光などの光線により潜像を書き込む露光装置６０が配置されている。また、ロータリ現像装置３８の上方には、ロータリ現像装置３８によって可視化されたトナー像を一次転写位置で一次転写され、後述する二次転写位置まで搬送する中間転写装置６２が設けられている。
【００２２】
中間転写装置６２は、例えば中間転写ベルトなどの中間転写体６４、一次転写ロール６６、ラップインロール６８、ラップアウトロール７０、二次転写バックアップロール７２、スクレーパバックアップロール７４及びブラシバックアップロール７６から構成される。中間転写体６４は、例えば弾性を有し、ロータリ現像装置３８の上方で長辺と短辺とを有するように略扁平に張られている。中間転写体６４の上面側の長辺は、例えば画像形成装置本体１２の上部に設けられた排出部３６に対して略平行となるように張られている。また、中間転写体６４は、該中間転写体６４の長辺下方で一次転写ロール６６の上流に配置されたラップインロール６８と、一次転写ロール６６の下流に配置されたラップアウトロール７０との間で像担持体５０にラップ状に当接する一次転写部（像担持体ラップ領域）を有し、像担持体５０に所定の範囲だけ巻きついて、像担持体５０の回転に従動する。このように、中間転写体６４は、一次転写ロール６６によって像担持体５０上のトナー像を例えばイエロー、マゼンタ、シアン、黒の順に重ねて一次転写され、この一次転写されたトナー像を後述する二次転写ロール８０に向けて搬送する。
なお、ラップインロール６８及びラップアウトロール７０は、像担持体５０から離間している。
【００２３】
さらに、中間転写体６４の裏側（図１の右側面）には、ラップアウトロール７０及び二次転写バックアップロール７２により、平面部（短辺）が形成されており、この平面部が二次転写部となって搬送路２８に臨むようにされている。
なお、二次転写部において、中間転写体６４と搬送路２８との間が、例えば１２°の角度になるように、ラップアウトロール７０は配置されている。
【００２４】
スクレーパバックアップロール７４は、二次転写後に中間転写体６４に残留するトナーを後述するスクレーパ８４が掻き取ることを補助し、ブラシバックアップロール７６は、二次転写後に中間転写体６４に残留するトナーを後述するブラシロール８６が掻き取ることを補助する。
【００２５】
中間転写体６４の長辺上方には、例えば反射型フォトセンサなどのセンサ７８が開閉カバー１４の裏面（内側）に固定されることによって設けられている。センサ７８は、中間転写体６４上に形成されたトナーのパッチを読取り、中間転写体６４の回転方向における位置を検出するとともに、トナーの濃度検知を行う。
【００２６】
中間転写装置６２の二次転写バックアップロール７２には、搬送路２８を挟んで二次転写ロール８０が対峙している。つまり、二次転写ロール８０と二次転写バックアップロール７２との間が二次転写部における二次転写位置となっており、二次転写ロール８０は、後述する付勢部１００により中間転写体６４に向けて付勢され、二次転写バックアップロール７２の補助により、中間転写体６４に一次転写されたトナー像を二次転写位置で記録媒体に二次転写する。ここで、二次転写ロール８０は、中間転写体６４が３回転する間、すなわちイエロー、マゼンタ、シアンの３色のトナー像を搬送する間は中間転写体６４から離間しており、黒のトナー像が転写されると中間転写体６４に当接するようにされている。なお、二次転写ロール８０は、二次転写位置で露出するように二次転写ロール収容部８１内に収容されており、この二次転写ロール収容部８１は、画像形成装置本体１２に固定されている。
【００２７】
中間転写体６４の反像担持体側端には、中間転写体用クリーナ８２が当接するように設けられている。中間転写体用クリーナ８２は、例えば二次転写後に中間転写体６４に残留するトナーを掻き取ってクリーニングするスクレーパ８４、スクレーパ８４によるクリーニング後に残ったトナーをさらに掻き取るブラシロール８６、スクレーパ８４及びブラシロール８６によって掻き取られたトナーを回収するトナー回収ボトル８８から構成される。スクレーパ８４は、例えばステンレスの薄板からなり、トナーとは逆極性の電圧がかけられている。ブラシロール８６は、例えば導電性の処理がなされたアクリルなどのブラシからなる。また、中間転写体６４がトナー像を搬送する間は、スクレーパ８４及びブラシロール８６は、中間転写体６４から離間しており、所定のタイミングでこれらが一体となって中間転写体６４に当接するようにされている。
【００２８】
二次転写位置の上方には、定着装置９０が配置されている。定着装置９０は、加熱ロール９２と加圧ロール９４とを有し、二次転写ロール８０及び二次転写バックアップロール７２により記録媒体に二次転写されたトナー像を記録媒体に定着させ、排出ロール３４に向けて搬送する。
【００２９】
像形成ユニット９６は、中間転写装置６２、像担持体５０、帯電装置５２、像担持体用クリーナ５４及び中間転写体用クリーナ８２を一体化したものである。この像形成ユニット９６は、開閉カバー１６の排出部３６の直近下方に配置され、画像形成装置本体１２に対して着脱自在となっており、開閉カバー１６を開くことにより着脱される。
【００３０】
また、画像形成装置１０の内部には、画像形成装置１０を構成する各部を制御する制御部９８が設けられている。
【００３１】
次に、二次転写ロール収容部８１、第１の開閉部１８、第２の開閉部２０及びその周辺について詳述する。
図２において、二次転写ロール収容部８１、第１の開閉部１８、第２の開閉部２０及びその周辺の詳細が示されている。
二次転写ロール収容部８１は、上述したように画像形成装置本体１２に固定されており、例えば二次転写ロール８０、付勢部１００及び光学式センサなどの第１の検知部１０２を収容する。付勢部１００は、例えばバネなどの弾性部材１０４、及び軸部１０６を軸として回動するカム１０８を有し、弾性部材１０４の一端が二次転写ロール８０の軸部１１０に固定され、弾性部材１０４の他端が受け板１１２を介してカム１０８に押圧されている。即ち、二次転写ロール８０は、付勢部１００によって中間転写体６４に向けて付勢され、付勢部１００の付勢は、カム１０８が制御部９８（図１）の制御によって回動することによって調節される。第１の検知部１０２は、搬送路２８を通って搬送される記録媒体の有無を二次転写ロール８０の上流側で検知し、制御部９８に対して出力する。
また、二次転写ロール収容部８１の正面側（図２において左側）は、例えばリブなどが形成されて記録媒体を案内する二次転写案内部１１４となっている。二次転写案内部１１４は、第１の検知部１０２を搬送路２８に臨ませるように一部が開口し、搬送路２８の一部を形成している。
【００３２】
第１の開閉部１８の正面側（図２において左側）は、例えばリブなどが形成されて記録媒体を案内する第１の案内部１１６となっており、この第１の案内部１１６は二次転写ロール８０の上流側で搬送路２８の一部を形成している。また、第１の開閉部１８は、上述したように画像形成装置本体１２に対して回動支点１７を中心に開閉する。第１の開閉部１８が画像形成装置本体１２に対して開かれると、第１の案内部１１６が移動され、二次転写ロール８０の上流側で搬送路２８の一部が開放される。したがって、二次転写ロール８０の上流側に記録媒体が詰まった場合、作業者は、第１の開閉部１８を開くことにより、詰まった記録媒体を取り除くことができる。
なお、二次転写ロール８０及び付勢部１００を収容する二次転写ロール収容部８１が画像形成装置本体１２に固定されているので、第１の開閉部１８は、剛性が低く、軽量である樹脂などの部材のみにより形成されてもよい。
【００３３】
第２の開閉部２０の正面側（図２において左側）は、例えばリブなどが形成されて記録媒体を案内する第２の案内部１１８となっており、この第２の案内部１１８は二次転写ロール８０と定着装置９０との間で搬送路２８の一部を形成している。また、第２の開閉部２０は、上述したように画像形成装置本体１２に対して回動支点１９を中心に開閉する。第２の開閉部２０が画像形成装置本体１２に対して開かれると、第２の案内部１１８が移動され、二次転写ロール８０と定着装置９０との間で搬送路２８の一部が開放される。したがって、二次転写ロール８０と定着装置９０との間に記録媒体が詰まった場合、作業者は、第２の開閉部２０を開くことにより、詰まった記録媒体を取り除くことができる。
なお、二次転写ロール８０及び付勢部１００を収容する二次転写ロール収容部８１が画像形成装置本体１２に固定されているので、第２の開閉部２０は、剛性が低く、軽量である樹脂などの部材のみにより形成されてもよい。
また、二次転写ロール８０と定着装置９０との間には、例えば光学式センサなどの第２の検知部１２０が設けられている。この第２の検知部１２０は、搬送路２８を通って搬送される記録媒体の有無を二次転写ロール８０と定着装置９０との間で検知し、制御部９８に対して出力する。
【００３４】
次に、中間転写体６４に向かう二次転写ロール８０の付勢を制御部９８が調節する制御について説明する。
図３は、中間転写体６４に向かう二次転写ロール８０の付勢を制御部９８が調節する制御の流れを示すブロック図である。図３に示すように、制御部９８は、第１の検知部１０２及び第２の検知部１２０それぞれから入力される検知結果により、図示しない駆動部によって軸部１０６を駆動し、カム１０８を回動させる。カム１０８の回動は、受け板１１２及び弾性部材１０４を介して二次転写ロール８０の軸部１１０に伝達される。即ち、制御部９８に制御されたカム１０８の回動に従って、中間転写体６４に向かう二次転写ロール８０の付勢が調節される。
【００３５】
図４は、中間転写体６４に向かう二次転写ロール８０の付勢を制御部９８が調節する制御を示すフローチャート（Ｓ１０）である。
図４に示すように、ステップ１００（Ｓ１００）において、制御部９８は、第１の検知部１０２が二次転写ロール８０の上流側で記録媒体の有無を検知した検知結果を受入れる。
【００３６】
ステップ１０２（Ｓ１０２）において、制御部９８は、第２の検知部１２０が二次転写ロール８０と定着装置９０との間で記録媒体の有無を検知した検知結果を受入れる。
【００３７】
ステップ１０４（Ｓ１０４）において、制御部９８は、第１の検知部１０２及び第２の検知部１２０から受入れた検知結果により、二次転写ロール８０の上流側及び二次転写ロール８０と定着装置９０との間の少なくともいずれかで記録媒体が停止しているか否かを判断する。なお、制御部９８は、第１の検知部１０２及び第２の検知部１２０それぞれにおいて記録媒体が有ると検知された時間を測定することにより、記録媒体が停止しているか否かを判断する。二次転写ロール８０の上流側及び二次転写ロール８０と定着装置９０との間の少なくともいずれかで記録媒体が停止している場合には、Ｓ１０６の処理に進み、その他の場合にはＳ１００の処理に進む。
【００３８】
ステップ１０６（Ｓ１０６）において、制御部９８は、カム１０８を回動させることにより、中間転写体６４に向かう二次転写ロール８０の付勢を弱めた状態で、中間転写体６４と二次転写ロール８０との間に記録媒体を保持する。また、制御部９８は、二次転写ロール８０が中間転写体６４から離れるまで付勢を弱めるようにしてもよい。
このように、制御部９８は、第１の検知部１０２及び第２の検知部１２０を介して、搬送路２８に記録媒体が詰まっているか否かを監視し、記録媒体が詰まっている場合には、中間転写体６４に向かう二次転写ロール８０の付勢を調節する。
【００３９】
また、制御部９８は、第１の検知部１０２及び第２の検知部１２０の検知結果から、記録媒体が停止している位置を特定し、図示しない表示部に表示するようにしてもよい。即ち、記録媒体が二次転写ロール８０の上流側に停止、二次転写ロール８０と定着装置９０との間に停止、又は二次転写ロール８０の上流側から二次転写ロール８０の下流側にまたがって停止のいずれであるかを制御部９８が判断し、表示するようにしてもよい。このように、記録媒体が搬送路２８に詰まって停止した場合に、記録媒体が停止している位置を特定し、詰まっている記録媒体を取り除くために必要な第１の開閉部１８又は第２の開閉部２０のいずれかのみを作業者が開放し、詰まっている記録媒体を取り除くようにしてもよい。
【００４０】
次に上記実施形態の作用について説明する。
画像形成信号が送られると、像担持体５０が帯電装置５２により一様に帯電され、この帯電された像担持体５０には、画像信号に基づいて露光装置６０から光線が出射される。露光装置６０からの光線は、像担持体５０の表面を露光し、潜像が形成される。露光装置６０により形成された像担持体５０の潜像は、ロータリ現像装置３８によってイエロー、マゼンタ、シアン、黒のトナー像を現像され、中間転写体６４に重ねて一次転写される。一次転写において、像担持体５０に残留する廃トナーは、像担持体用クリーナ５４によって掻き取られ、回収される。
【００４１】
一方、記録媒体供給信号等により、記録媒体供給カセット２３に収納された記録媒体は、フィードロール２４により送り出され、リタードロール２６により捌かれて搬送路２８に導かれ、レジストロール３２により一次停止され、タイミングをとって第１の開閉部１８の第１の案内部１１６に案内されて、二次転写ロール８０と二次転写バックアップロール７２との間に導かれる。付勢部１００により付勢された二次転写ロール８０と二次転写バックアップロール７２との間に記録媒体が導かれると、中間転写体６４に一次転写されているトナー像が二次転写ロール８０と二次転写バックアップロール７２とによって記録媒体に二次転写される。二次転写後に、中間転写体６４に残留する廃トナーは、中間転写体用クリーナ８２によって掻き取られ、回収される。
【００４２】
トナー像を転写された記録媒体は、第２の開閉部２０の第２の案内部１１８に案内されて定着装置９０に導かれ、加熱ロール９２と加圧ロール９４とによる熱圧力によって、トナー像を定着される。トナー像が定着した記録媒体は、排出ロール３４により排出口３０から排出部３６へ排出される。
【００４３】
なお、第１の検知部１０２又は第２の検知部１２０の少なくともいずれかを介し、搬送路２８に記録媒体が詰まったことを制御部９８が判断すると、中間転写体６４に向かう二次転写ロール８０の付勢が調節される。よって、作業者は、第１の開閉部１８及び第２の開閉部２０の少なくともいずれかを開くことにより、搬送路２８に詰まった記録媒体を取り除くことができる。
【図面の簡単な説明】
【００４４】
【図１】本発明の実施形態に係る画像形成装置の概要を示す側面図である。
【図２】二次転写ロール収容部、第１の開閉部、第２の開閉部及びその周辺の詳細を示す側面図である。
【図３】中間転写体に向かう二次転写ロールの付勢を制御部が調節する制御の流れを示すブロック図である。
【図４】中間転写体に向かう二次転写ロールの付勢を制御部が調節する制御を示すフローチャート（Ｓ１０）である。
【符号の説明】
【００４５】
１０    画像形成装置
１２    画像形成装置本体
１７    回動支点
１８    第１の開閉部
１９    回動支点
２０    第２の開閉部
２１    記録媒体供給ユニット
２８    搬送路
３８    ロータリ現像装置
５０    像担持体
５２    帯電装置
５４    像担持体クリーナ
６０    露光装置
６２    中間転写装置
６４    中間転写体
８０    二次転写ロール
８１    二次転写ロール収容部
９０    定着装置
９６    像形成ユニット
９８    制御部
１００    付勢部
１０２    第１の検知部
１０４    弾性部材
１０６    軸部
１０８    カム
１１０    軸部
１１２    受け板
１１４    二次転写案内部
１１６    第１の案内部
１１８    第２の案内部
１２０    第２の検知部
【図１】
2005266375.tif 000003
【図２】
2005266375.tif 000004
【図３】
2005266375.tif 000005
【図４】
2005266375.tif 000006